(57)【要約】【課題】開き戸が閉まり際において少し開いた状態で閉められた場合、開き戸を閉まり際からブレーキを掛けながら引き寄せ、開き戸を完全に閉じた状態に保持するようにした開き戸装置を提供する。【解決手段】建物の出入り口２の縦枠３に一側部が蝶番４により鉛直軸芯の周りで回転可能に支持された開き戸１を備え、この開き戸１の一側部側には前記縦枠３の内面側に設けられている磁性板１２に先端面が対向するマグネット９を設けるとともに、縦枠３の内面側に対向する緩衝用のミニダンパー１４を設け、このミニダンパー１４の作動ピン１４ａの先端が前記縦枠３の内面側に当接することにより、前記マグネット９による磁性板１２の吸着作用による開き戸１の閉まり際からの閉動時に開き戸１にブレーキを掛けるようにした。【選択図】図４
2010285739.tif 000002
【特許請求の範囲】
【請求項１】
建物の出入り口の縦枠に一側部が蝶番により鉛直軸芯の周りで回転可能に支持された開き戸を備え、この開き戸の一側部側には前記縦枠の内面側に設けられている磁性板に先端面が対向するマグネットを設けるとともに、縦枠の内面側に対向する緩衝用のダンパーを設け、このダンパーの作動ピンの先端が前記縦枠の内面側に当接することにより、前記マグネットによる磁性板の吸着作用による開き戸の閉まり際からの閉動時に開き戸にブレーキを掛けるようにしたことを特徴とする開き戸装置。
【発明の詳細な説明】
【技術分野】
【０００１】
本発明は、鉛直軸芯の周りで回転可能に一側部が蝶番により支持された開き戸装置に関するものである。
【背景技術】
【０００２】
従来の開き戸には強風や室内外の気圧差などにより開き戸が勢い良く閉まるのを防止するために、特許文献１に開示されているような緩衝装置を備えたものが知られている。
特許文献１に開示されている開き戸の緩衝装置は、ドア枠に支軸を介して戸パネルを開閉自在に取り付けてなる開き戸の緩衝装置であって、上記ドア枠側に突設したピン部材と、上記戸パネル側に装着した装置本体とからなり、装置本体はその内部に引き込み機能を備えた緩衝手段と、この緩衝手段に引き込み方向に往復移動可能に連結し且つ上記ピン部材と係脱する係合部を設けているスライダー部材と、上記緩衝手段における引き込み機能の引き込み力に抗してスライダー部材をその係合部がピン部材を受け入れ可能な姿勢を保持した状態でロックすると共に戸パネルの閉止方向の回動によってピン部材が係合部に係止した時にロックを解くようにしたロック機構とを配設してあり、このロック機構のロックの解放によってスライダー部材の係合部にピン部材を係止させた状態で上記緩衝手段の引き込み機能の引き込み力により戸パネルを閉止方向に回動させ、戸パネルの開放時にピン部材によってスライダー部材を引き込み機能の引き込み力に抗してロック機構のロック位置まで移動させるように構成したものである。
【先行技術文献】
【特許文献】
【０００３】
【特許文献１】特開２００７−３０８８８８号公報
【発明の概要】
【発明が解決しようとする課題】
【０００４】
上記特許文献１に記載の開き戸の緩衝装置は、強風や室内外の気圧差などにより開き戸が勢い良く閉まるのを防止するものであるが、開き戸が閉まり際において少し開いた状態で閉められた場合に対処する機能は具備されていないものである。
【０００５】
本発明の目的は、このような課題を解決するものであり、開き戸が閉まり際において少し開いた状態で閉められた場合、開き戸を閉まり際からブレーキを掛けながら引き寄せ、開き戸を完全に閉じた状態に保持するようにした開き戸装置を提供することにある。
【課題を解決するための手段】
【０００６】
本発明の請求項１に記載の開き戸装置は、建物の出入り口の縦枠に一側部が蝶番により鉛直軸芯の周りで回転可能に支持された開き戸を備え、この開き戸の一側部側には前記縦枠の内面側に設けられている磁性板に先端面が対向するマグネットを設けるとともに、縦枠の内面側に対向する緩衝用のダンパーを設け、このダンパーの作動ピンの先端が前記縦枠の内面側に当接することにより、前記マグネットによる磁性板の吸着作用による開き戸の閉まり際からの閉動時に開き戸にブレーキを掛けるようにしたことを特徴とする。
【発明の効果】
【０００７】
以上のように、本発明の開き戸装置は、開き戸が閉まり際において少し開くような弱い力で閉じられた場合でも、閉まり際においてマグネットの先端面で磁性板を吸着する作用が働き、その力により開き戸は閉まり際から完全に閉じられることになる。そのとき、マグネットが磁性板を吸着する働きにより、開き戸１は急激に閉まる惧れがあるが、前記ダンパーの作動ピンの先端が縦枠の内面側を押し付けるように働くことになり、開き戸にブレーキが掛けられ、開き戸が急激に閉まるのを防止することができる。
【図面の簡単な説明】
【０００８】
【図１】本発明の第１の実施の形態における開き戸装置の開き戸が開いた状態を示す要部拡大斜視図である。
【図２】同開き戸が閉じた状態を示す要部拡大斜視図である。
【図３】同開き戸が開いた状態を示す横断面図である。
【図４】同開き戸の閉まり際の状態を示す横断面図である。
【図５】同開き戸が閉じた状態を示す横断面図である。
【図６】本発明の第２の実施の形態における開き戸装置に使用されるマグネットおよびミニダンパーを開き戸側に取り付ける状態を示す要部拡大斜視図である。
【図７】同開き戸装置に使用されるマグネットおよびミニダンパー一体型の蝶番の斜視図である。
【図８】同開き戸が開いた状態を示す要部拡大斜視図である。
【図９】本発明の第３の実施の形態における開き戸装置に使用されるマグネットおよびミニダンパーを開き戸側に取り付ける状態を示す要部拡大斜視図である。
【図１０】同開き戸が開いた状態を示す要部拡大斜視図である。
【図１１】本発明の第４の実施の形態における開き戸装置に使用されるマグネットおよびミニダンパーを開き戸側に取り付ける状態を示す要部拡大斜視図である。
【図１２】同開き戸が開いた状態を示す要部拡大斜視図である。
【発明を実施するための形態】
【０００９】
以下、本発明の実施の形態を、図面を用いて具体的に説明する。
先ず、図１〜図５に示す第１の実施の形態について説明すると、１は建物に形成された出入り口２を開閉自在とするために出入り口２を形成する縦枠３に一側部が上下２箇所で蝶番４により支持され鉛直軸芯の周りで回転可能な開き戸であって、蝶番４の軸部５を中心に回動する２枚の羽根６，７の内、一方の羽根６は縦枠３の内面側にビス８止めされ、他方の羽根７は開き戸１の一側部端面にビス８止めされている。９は開き戸１の一側部端面の上端近傍に形成された凹部１０に先端面が開き戸１の一側部端面に揃うように埋設されたマグネットで、このマグネット９は凹部１０に嵌入された状態で中心より螺入されるねじ１１により固定されている。そして、このマグネット９の先端面に対向するように縦枠３の内面側に磁性板１２がビス１３止めにて取り付けられている。
【００１０】
これにより、開き戸１が閉まり際において少し開くような弱い力で閉じられた場合でも、閉まり際において前記マグネット９の先端面で磁性板１２を吸着する作用が働き、その力により開き戸１は閉まり際から完全に閉じられることになる。そのとき、マグネット９が磁性板１２を吸着する働きにより、開き戸１は急激に閉まる惧れがある。そこで、本実施の形態では開き戸１の内面の上端近傍にオイルが充填された緩衝用のミニダンパー１４が装着されている。詳しくは、ミニダンパー１４は開き戸１の内面の上端近傍にビス１５止めされたダンパー保持部材１６に差し込まれて作動ピン１４ａが開き戸１の一側部端面から突出するように設けられており、マグネット９の吸着力により開き戸１が閉まり際から閉じられるとき、ミニダンパー１４の作動ピン１４ａの先端が前記縦枠３の内面側の幅方向中央の膨らみ部３ａを押し付けるように働くことになり、開き戸１にブレーキが掛けられ、開き戸１が急激に閉まるのを防止できる。
【００１１】
次に、図６〜図８に示す第２の実施の形態について説明すると、前記第１の実施の形態ではマグネット９とミニダンパー１４が別々に取り付けられているが、第２の実施の形態ではマグネット９とミニダンパー１４は開き戸１の一側部端面にビス８止めされる上下の蝶番４の内、上側の蝶番４の他方の羽根７の背面側に一体に形成されたケーシング１７内に設けられている点で異なり、マグネット９の先端面およびミニダンパー１４の作動ピン１４ａは他方の羽根７に形成された開口孔７ａおよび７ｂより露出している。具体的には、ケーシング１７は他方の羽根７の背面側に縦向きに形成され、マグネット９は他方の羽根７の上下方向中央に形成された開口孔７ａよりケーシング１７内に横方向から挿入されて、中心より螺入されるねじ１８によりケーシング１７に固定されており、またミニダンパー１４は開口孔７ａの上下両側で他方の羽根７に形成された開口孔７ｂより横方向から２本ケーシング１７内に挿入され、そのときミニダンパー１４の作動ピン１４ａは開口孔７ｂより突出するようにケーシング１７内に挿入されるものである。そして、蝶番４の他方の羽根７と一体のケーシング１７は開き戸１の一側部端面に形成された凹部１９内に埋め込まれるのであり、ケーシング１７が凹部１９内に埋め込まれた状態で他方の羽根７は開き戸１の一側部端面にビス８止めされる。なお、この第２の実施の形態の場合、第１の実施の形態のようなマグネット９の先端面に対向する磁性板１２を別に設ける必要がなく、縦枠３の内面側にビス８止めされる蝶番４の一方の羽根６が磁性板を兼ねるようになる。そのためには蝶番４は鉄などの磁性材料で作られていることは言うまでもない。
【００１２】
これにより、開き戸１が閉まり際において少し開くような弱い力で閉じられた場合でも、閉まり際において前記マグネット９の先端面で蝶番４の一方の羽根６を吸着する作用が働き、その力により開き戸１は閉まり際から完全に閉じられることになる。そのとき、マグネット９が磁性板を兼ねた一方の羽根６を吸着する働きにより、開き戸１は急激に閉まる惧れがある。そのときミニダンパー１４の作動ピン１４ａの先端が前記蝶番４の一方の羽根６を押し付けるように働くことになり、開き戸１にブレーキが掛けられ、開き戸１が急激に閉まるのを防止できる。
【００１３】
次に、図９〜図１０に示す第３の実施の形態について説明すると、この実施の形態ではケーシング２０内にマグネット９とミニダンパー１４を挿入しているのであって、具体的には縦向きのケーシング２０内には上下両端近傍に横方向からマグネット９を挿入し、この両マグネット９間にミニダンパー１４を横方向から挿入している。そのとき、マグネット９の先端面およびミニダンパー１４の作動ピン１４ａはケーシング２０の先端面の開口孔２０ａおよび２０ｂより露出している。さらに詳しくは、マグネット９はケーシング２０の開口孔２０ａよりケーシング２０内に挿入されて、中心より螺入されるねじ２１によりケーシング２０に固定されており、またミニダンパー１４は開口孔２０ｂよりケーシング２０内に挿入され、そのときミニダンパー１４の作動ピン１４ａは開口孔２０ｂより突出するようにケーシング２０内に挿入されるものである。ところで、前記マグネット９およびミニダンパー１４が挿入されたケーシング２０は開き戸１の一側部端面の上端近傍に形成された凹部２２内に埋め込まれるのであり、凹部２２内に埋め込まれたケーシング２０は上下に突出するフランジ２３を凹部２２の上下の段差部２２ａに当ててビス２４止めされるものである。この状態においてマグネット９の先端面が開き戸１の一側部端面に揃うようになる。そして、前記マグネット９の先端面に対向するように縦枠３の内面側に磁性板２５がビス２６止めにて取り付けられている。
【００１４】
これにより、開き戸１が閉まり際において少し開くような弱い力で閉じられた場合でも、閉まり際において前記マグネット９の先端面で磁性板２４を吸着する作用が働き、その力により開き戸１は閉まり際から完全に閉じられることになる。そのとき、マグネット９が磁性板２５を吸着する働きにより、開き戸１は急激に閉まる惧れがある。そのときミニダンパー１４の作動ピン１４ａの先端が前記磁性板２５を押し付けるように働くことになり、開き戸１にブレーキが掛けられ、開き戸１が急激に閉まるのを防止できる。
【００１５】
次に、図１１〜図１２に示す第４の実施の形態について説明すると、この実施の形態は前記第３の実施の形態と同様に、ケーシング２０内にマグネット９とミニダンパー１４を挿入したものを用い、このユニットを開き戸１の内面の上端近傍で、マグネット９の先端面が開き戸１の一側部端面より僅かに後退するように開き戸１の内面の上端近傍に予め取り付けてある保持ケース２７に差し込み、ケーシング２０のフランジ２３を保持ケース２７に対してビス２８止めし、ケーシング２０が先端面を残してカバー２９で覆われるものである。この第４の実施の形態ではマグネット９を備えたユニットの先端面に対向するように縦枠３の内面側の幅方向中央の膨らみ部３ａに磁性板３０がビス３１止めにて取り付けられている。
【００１６】
これにより、開き戸１が閉まり際において少し開くような弱い力で閉じられた場合でも、閉まり際において前記マグネット９の先端面で磁性板３０を吸着する作用が働き、その力により開き戸１は閉まり際から完全に閉じられることになる。そのとき、マグネット９が磁性板３０を吸着する働きにより、開き戸１は急激に閉まる惧れがある。そのときミニダンパー１４の作動ピン１４ａの先端が前記磁性板３０を押し付けるように働くことになり、開き戸１にブレーキが掛けられ、開き戸１が急激に閉まるのを防止できる。
【００１７】
ところで、マグネット９やミニダンパー１４を設ける位置は上記した各実施の形態で説明した位置に限定されるものではなく、またそれらマグネット９やミニダンパー１４を設ける箇所は開き戸１の上下方向における１箇所でも良いが、２箇所以上設けるようにしても良い。
【産業上の利用可能性】
【００１８】
本発明の開き戸装置は、鉛直軸芯の周りで回転可能に一側部が蝶番により支持された開き戸において、開き戸が閉まり際において少し開いた状態で閉められた場合、開き戸を閉まり際からブレーキを掛けながら引き寄せ、開き戸を完全に閉じた状態に保持するようにしたものである。
【符号の説明】
【００１９】
１              開き戸
２              出入り口
３              縦枠
３ａ            膨らみ部
４              蝶番
５              軸部
６，７          羽根
７ａ，７ｂ      開口孔
８              ビス
９              マグネット
１０              凹部
１１              ねじ
１２              磁性板
１３              ビス
１４              ミニダンパー
１４ａ            作動ピン
１５              ビス
１６              ダンパー保持部材
１７              ケーシング
１８              ねじ
１９              凹部
２０              ケーシング
２０ａ，２０ｂ    開口孔
２１              ねじ
２２              凹部
２２ａ            段差部
２３              フランジ
２４              ビス
２５              磁性板
２６              ビス
２７              保持ケース
２８              ビス
２９              カバー
３０              磁性板
３１              ビス
【図１】
2010285739.tif 000003
【図２】
2010285739.tif 000004
【図３】
2010285739.tif 000005
【図４】
2010285739.tif 000006
【図５】
2010285739.tif 000007
【図６】
2010285739.tif 000008
【図７】
2010285739.tif 000009
【図８】
2010285739.tif 000010
【図９】
2010285739.tif 000011
【図１０】
2010285739.tif 000012
【図１１】
2010285739.tif 000013
【図１２】
2010285739.tif 000014